(57)【要約】  本発明の異常判定装置及び方法は、車両の走行制御に使用される車両の前後加速度を検出する前後加速度センサの異常判定装置及び方法であり、前後加速度センサにより検出された車両の前後加速度の積算値を演算し、積算値と車輪速度に基づく車速とに基づいて前後加速度センサの異常判定を行う。車輪速度に基づく車速が０であり且つ検出された車両の前後加速度の増加変化率が増加変化率基準値以下である状態が、演算開始基準時間以上経過したときに、積算値の演算が開始される。
2012140763.tif 000002
【特許請求の範囲】
【請求項１】
車両の走行制御に使用される車両の前後加速度を検出する前後加速度センサの異常判定装置であって、前後加速度センサにより検出された車両の前後加速度の積算値を演算し、前記積算値と車輪速度に基づく車速とに基づいて前後加速度センサの異常判定を行う前後加速度センサの異常判定装置に於いて、検出された車両の前後加速度の増加変化率が増加変化率基準値以下である状態が、演算開始基準時間以上経過したときに、積算値の演算を開始することを特徴とする前後加速度センサの異常判定装置。
【請求項２】
検出可能な車輪速度の最小値に対応する車速以上の値を判定開始車速基準値として、車輪速度に基づく車速が前記判定開始車速基準値未満であるときには、前記前後加速度センサが異常であるとの判定が行われないことを特徴とする請求項１に記載の前後加速度センサの異常判定装置。
【請求項３】
前記前後加速度センサの異常判定は前記積算値と車輪速度に基づく車速との偏差が異常判定基準値以上であるか否かによって行われ、車輪速度に基づく車速が前記判定開始車速基準値以上になるまで、前記異常判定基準値は前記前後加速度センサが異常であると判定されない値に設定されることを特徴とする請求項２に記載の前後加速度センサの異常判定装置。
【請求項４】
前記積算値が増大し始めた時点より判定開始基準時間が経過するまでは、前記前後加速度センサが異常であるとの判定が行われないことを特徴とする請求項１に記載の前後加速度センサの異常判定装置。
【請求項５】
前記前後加速度センサの異常判定は前記積算値と車輪速度に基づく車速との偏差が異常判定基準値以上であるか否かによって行われ、前記積算値が増大し始めた時点より前記判定開始基準時間が経過するまで、前記異常判定基準値は前記前後加速度センサが異常であると判定されない値に設定されることを特徴とする請求項４に記載の前後加速度センサの異常判定装置。
【請求項６】
前後加速度センサにより検出された車両の前後加速度に対し特定の通過周波数帯域にてフィルタ処理を行い、フィルタ処理後の車両の前後加速度の積算値を演算することを特徴とする請求項１乃至５の何れか一つに記載の前後加速度センサの異常判定装置。
【請求項７】
前記車両の走行制御は車輪速度に基づく車速が走行制御開始車速基準値以上であるときに実行され、前記走行制御開始車速基準値は前記判定開始車速基準値よりも高いことを特徴とする請求項１乃至６の何れか一つに記載の前後加速度センサの異常判定装置。
【請求項８】
前記積算値の演算及び前記前後加速度センサの異常判定は車輪速度に基づく車速が前記走行制御開始車速基準値よりも低い判定終了車速基準値以上になると終了されることを特徴とする請求項１乃至７の何れか一つに記載の前後加速度センサの異常判定装置。
【請求項９】
車両は四輪駆動車であり、前記車輪速度に基づく車速は、四輪の車輪速度の平均値、四輪の車輪速度のうちの最大値を除く三つの車輪速度の平均値、及び四輪の車輪速度のうちの最大値及び最小値を除く二つの車輪速度の平均値の何れかであることを特徴とする請求項１乃至８の何れか一つに記載の前後加速度センサの異常判定装置。
【請求項１０】
駆動輪の駆動力を制御することにより前記車両の走行制御を行い、車輪速度及び車両の前後加速度に基づいて駆動輪がスリップ状態にあると判定されるときには前記車両の走行制御を中止する車両の走行制御装置であって、請求項１乃至９の何れか一つに記載の前後加速度センサの異常判定装置を有し、車両は四輪駆動車であり、前記異常判定装置により前後加速度センサが異常であると判定されているときには、駆動輪がスリップ状態にあるか否かに関係なく前記車両の走行制御を中止することを特徴とする車両の走行制御装置。
【請求項１１】
車両は四輪駆動状態と二輪駆動状態とに切り替わる四輪駆動車であり、車両が二輪駆動状態にあるときには、前記異常判定装置は前記前後加速度センサの異常判定を行わないことを特徴とする請求項１０に記載の車両の走行制御装置。
【請求項１２】
車両が二輪駆動状態にあるときには、非駆動輪の車輪速度及び駆動輪の車輪速度に基づいて駆動輪がスリップ状態にあるか否かが判定されることを特徴とする請求項１１に記載の車両の走行制御装置。
【請求項１３】
前記車両の走行制御は車両の加減速に伴うばね上の共振振動を抑制するばね上制振制御であることを特徴とする請求項１０乃至１２の何れか一つに記載の車両の走行制御装置。
【請求項１４】
車両の走行制御に使用される車両の前後加速度を検出する前後加速度センサの異常判定方法であって、前後加速度センサにより検出された車両の前後加速度の積算値を演算し、前記積算値と車輪速度に基づく車速とに基づいて前後加速度センサの異常判定を行う前後加速度センサの異常判定方法に於いて、検出された車両の前後加速度の増加変化率が増加変化率基準値以下である状態が、演算開始基準時間以上経過したときに、積算値の演算を開始することを特徴とする前後加速度センサの異常判定方法。
【請求項１５】
駆動輪の駆動力を制御することにより前記車両の走行制御を行い、車輪速度及び車両の前後加速度に基づいて駆動輪がスリップ状態にあると判定されるときには前記車両の走行制御を中止する車両の走行制御方法であって、請求項１乃至９の何れか一つに記載の前後加速度センサの異常判定装置を有し、車両は四輪駆動車であり、前記異常判定装置により前後加速度センサが異常であると判定されているときには、駆動輪がスリップ状態にあるか否かに関係なく前記車両の走行制御を中止することを特徴とする車両の走行制御方法。
【発明の詳細な説明】
【技術分野】
【０００１】
本発明は、車両の走行制御に使用される車両の前後加速度を検出する前後加速度センサに係り、更に詳細には前後加速度センサの異常判定装置及び方法に係る。
【背景技術】
【０００２】
自動車等の車両に於いて、走行制御に使用される車両の前後加速度を検出する前後加速度センサの異常を判定する異常判定装置は従来から種々提案されている。例えば前後加速度に基づく車速と車輪速度に基づく車速を比較することにより前後加速度センサの異常判定を行うことが知られている（特許文献１参照）。前後加速度に基づく車速は前後加速度センサにより検出された車両の前後加速度を積分することにより演算され、車輪速度に基づく車速は車輪速度センサにより検出された車輪速度に基づいて演算される。
【先行技術文献】
【特許文献】
【０００３】
【特許文献１】特開平０１−１９５１６８号公報
【発明の概要】
【０００４】
〔発明が解決しようとする課題〕
当技術分野に於いてよく知られている如く、前後加速度センサは極僅かな前後加速度をも検出することができるのに対し、車輪速度センサは極低速の車輪速度を検出することができない。そのため従来の前後加速度センサの異常判定装置においては、車輪速度が車輪速度センサによる検出が可能になる値よりも高い値に上昇してから前後加速度の積分演算等が開始されるようになっている。
【０００５】
しかし車両が走行を開始すると、車輪速度センサが車輪速度を検出することができない微低速域に於いても車両の前後加速度は上昇する。そのため車輪速度が車輪速度センサによる検出が可能になる値よりも高い値に上昇してから前後加速度の積分演算が開始されると、前後加速度の積分値は前後加速度が上昇し始めた後積分演算が開始されるまでの前後加速度を含まない値になる。従って前後加速度に基づく車速には未積分の値に相当する誤差が含まれるため、前後加速度センサが正常であるにも拘らず異常であると判定されたり、前後加速度センサが異常であるにも拘らず正常であると判定されたりする場合がある。
【０００６】
また車両が走行を開始する前の段階から前後加速度の積分演算が開始されると、前後加速度センサの作動が開始された直後の不安定な作動状況に於ける前後加速度センサの不安定な出力値が積分されてしまう。従って前後加速度に基づく車速には不安定な出力値に起因する誤差が含まれるため、前後加速度センサが異常であるか否かの判定が誤判定になる場合がある。
【０００７】
本発明の主要な目的は、前後加速度センサにより検出された車両の前後加速度に基づく車速に含まれる誤差を低減することにより、前後加速度センサが異常であるか否かの判定が誤判定になる虞れを低減することである。
〔課題を解決するための手段及び発明の効果〕
【０００８】
本発明によれば、車両の走行制御に使用される車両の前後加速度を検出する前後加速度センサの異常判定装置であって、前後加速度センサにより検出された車両の前後加速度の積算値を演算し、積算値と車輪速度に基づく車速とに基づいて前後加速度センサの異常判定を行う前後加速度センサの異常判定装置に於いて、検出された車両の前後加速度の増加変化率が増加変化率基準値以下である状態が、演算開始基準時間以上経過したときに、積算値の演算を開始することを特徴とする前後加速度センサの異常判定装置が提供される。
【０００９】
また本発明によれば、車両の走行制御に使用される車両の前後加速度を検出する前後加速度センサの異常判定方法であって、前後加速度センサにより検出された車両の前後加速度の積算値を演算し、積算値と車輪速度に基づく車速とに基づいて前後加速度センサの異常判定を行う前後加速度センサの異常判定方法に於いて、検出された車両の前後加速度の増加変化率が増加変化率基準値以下である状態が、演算開始基準時間以上経過したときに、積算値の演算を開始することを特徴とする前後加速度センサの異常判定方法が提供される。
【００１０】
これらの構成によれば、検出された車両の前後加速度の増加変化率が増加変化率基準値以下である状態が、演算開始基準時間以上経過したときに、前後加速度の積算値の演算が開始される。演算開始基準時間は、例えばイグニッションスイッチが閉成されることにより前後加速度センサや異常判定装置の作動が開始されてから車両が走行を開始するまでに要する時間よりも短くてよい。
【００１１】
よって前後加速度センサの作動が開始された直後の前後加速度センサの不安定な出力値が積算されることを防止すると共に、車両の前後加速度が上昇し始める前の段階から前後加速度の積算を開始することができる。従って前後加速度の積算値、即ち車両の前後加速度に基づく車速に含まれる誤差を低減することができ、これにより前後加速度センサが異常であるか否かの判定が誤判定になる虞れを低減することができる。
【００１２】
上記構成に於いて、検出可能な車輪速度の最小値に対応する車速以上の値を判定開始車速基準値として、車輪速度に基づく車速が前記判定開始車速基準値未満であるときには、前後加速度センサが異常であるとの判定が行われないようになっていてよい。
【００１３】
この構成によれば、車輪速度に基づく車速が判定開始車速基準値未満であるときには、前後加速度センサが異常であるとの判定が行われない。従って車輪速度に基づく車速が判定開始車速基準値未満であり、車輪速度に基づく車速を正確に求めることができないことに起因して前後加速度センサが誤って異常であると判定されることを防止することができる。
【００１４】
また上記構成に於いて、前後加速度センサの異常判定は積算値と車輪速度に基づく車速との偏差が異常判定基準値以上であるか否かによって行われ、車輪速度に基づく車速が判定開始車速基準値以上になるまで、異常判定基準値は前後加速度センサが異常であると判定されない値に設定されるようになっていてよい。
【００１５】
この構成によれば、車輪速度に基づく車速が判定開始車速基準値以上になるまで、換言すれば車輪速度に基づく車速を正確に求めることができるようになるまで、前後加速度センサが異常であると判定されることが阻止される。よって車輪速度に基づく車速が判定開始車速基準値未満である状況に於いて、車輪速度に基づく車速を正確に求めることができないことに起因して前後加速度センサが誤って異常であると判定されることを効果的に防止することができる。
【００１６】
また上記構成に於いて、積算値が増大し始めた時点より判定開始基準時間が経過するまでは、前後加速度センサが異常であるとの判定が行われないようになっていてよい。
【００１７】
この構成によれば、積算値が増大し始めた時点より判定開始基準時間が経過するまでは、前後加速度センサが異常であるとの判定が行われない。よって判定開始基準時間を適宜に設定することにより，車輪速度が検出可能な車輪速度の最小値よりも低い状況に於いて、車輪速度に基づく車速を正確に求めることができないことに起因して前後加速度センサが誤って異常であると判定される虞れを低減することができる。
【００１８】
上記構成に於いて、前後加速度センサの異常判定は積算値と車輪速度に基づく車速との偏差が異常判定基準値以上であるか否かによって行われ、積算値が増大し始めた時点より判定開始基準時間が経過するまで、異常判定基準値は前後加速度センサが異常であると判定されない値に設定されるようになっていてよい。
【００１９】
この構成によれば、積算値が増大し始めた時点より判定開始基準時間が経過するまで、前後加速度センサが異常であると判定されることが阻止される。よって車輪速度が検出可能な最小値未満である状況に於いて、車輪速度に基づく車速を正確に求めることができないことに起因して前後加速度センサが誤って異常であると判定されることを効果的に防止することができる。
【００２０】
また上記構成に於いて、前後加速度センサにより検出された車両の前後加速度に対し特定の通過周波数帯域にてフィルタ処理を行い、フィルタ処理後の車両の前後加速度の積算値を演算するようになっていてよい。
【００２１】
この構成によれば、前後加速度センサの温度ドリフトや路面勾配に起因する低周波成分の影響を低減することができ、またノイズに起因する高周波成分の影響を低減することができる。よってフィルタ処理が行われない場合に比して、車両の前後加速度の積算値を正確に演算することができ、これにより前後加速度センサが異常であるか否かの判定を正確に行うことができる。
【００２２】
また上記構成に於いて、車両の走行制御は車輪速度に基づく車速が走行制御開始車速基準値以上であるときに実行され、走行制御開始車速基準値は判定開始車速基準値よりも高くてよい。
【００２３】
この構成によれば、車両の走行制御が開始される前に前後加速度センサが異常であるか否かの判定を行うことができる。よって前後加速度センサに異常が生じても、異常な前後加速度センサにより検出された前後加速度が車両の走行制御に使用されることを防止し、これにより車両の走行制御が不適切に実行されることを防止することができる。
【００２４】
また上記構成に於いて、積算値の演算及び前後加速度センサの異常判定は車輪速度に基づく車速が走行制御開始車速基準値よりも低い判定終了車速基準値以上になると終了されるようになっていてよい。
【００２５】
この構成によれば、車輪速度に基づく車速が走行制御開始車速基準値よりも低い判定終了車速基準値以上になると、積算値の演算及び前後加速度センサの異常判定は終了される。よって車両の走行制御が開始される前に積算値の演算及び前後加速度センサの異常判定を終了させることができる。従って車両の走行制御が開始された後も積算値の演算及び前後加速度センサの異常判定が継続される場合に比して異常判定装置の負荷を低減することができる。
【００２６】
また上記構成に於いて、車両は四輪駆動車であり、車輪速度に基づく車速は、四輪の車輪速度の平均値、四輪の車輪速度のうちの最大値を除く三つの車輪速度の平均値、及び四輪の車輪速度のうちの最大値及び最小値を除く二つの車輪速度の平均値の何れかであってよい。
【００２７】
この構成によれば、車輪速度に基づく車速は複数の車輪速度に基づく値である。よって例えば車輪速度に基づく車速が何れか一つの車輪速度に基づく値である場合に比して、車輪速度に基づく車速を正確な値にすることができ、これにより前後加速度センサが異常であるか否かの判定を正確に行うことができる。
【００２８】
また本発明によれば、駆動輪の駆動力を制御することにより車両の走行制御を行い、車輪速度及び車両の前後加速度に基づいて駆動輪がスリップ状態にあると判定されるときには車両の走行制御を中止する車両の走行制御装置であって、上記の何れかの前後加速度センサの異常判定装置を有し、車両は四輪駆動車であり、異常判定装置により前後加速度センサが異常であると判定されているときには、駆動輪がスリップ状態にあるか否かに関係なく車両の走行制御を中止することを特徴とする車両の走行制御装置が提供される。
【００２９】
また本発明によれば、駆動輪の駆動力を制御することにより車両の走行制御を行い、車輪速度及び車両の前後加速度に基づいて駆動輪がスリップ状態にあると判定されるときには車両の走行制御を中止する車両の走行制御方法であって、上記の何れかの前後加速度センサの異常判定装置を有し、車両は四輪駆動車であり、異常判定装置により前後加速度センサが異常であると判定されているときには、駆動輪がスリップ状態にあるか否かに関係なく車両の走行制御を中止することを特徴とする車両の走行制御方法が提供される。
【００３０】
これらの構成によれば、前後加速度センサが異常であり、車輪速度及び車両の前後加速度に基づいて駆動輪がスリップ状態にあるか否かを正確に判定することができないときには、車両の走行制御を中止させることができる。よって前後加速度センサが異常であると判定されている状況に於いて、車両の走行制御が不適切に実行されることを防止することができる。
【００３１】
また上記構成に於いて、車両は四輪駆動状態と二輪駆動状態とに切り替わる四輪駆動車であり、車両が二輪駆動状態にあるときには、前後加速度センサの異常判定は行われないようになっていてよい。
【００３２】
車両が二輪駆動状態にあるときには、車両の前後加速度を要することなく非駆動輪の車輪速度及び駆動輪の車輪速度に基づいて駆動輪がスリップ状態にあるか否かを判定することができるので、前後加速度センサの異常判定が行われる必要がない。上記構成によれば、車両が二輪駆動状態にあるときには、前後加速度を検出する前後加速度センサの異常判定は行われないので、前後加速度センサの異常判定が不必要に行われることを防止することができる。
【００３３】
また上記構成に於いて、車両が二輪駆動状態にあるときには、非駆動輪の車輪速度及び駆動輪の車輪速度に基づいて駆動輪がスリップ状態にあるか否かが判定されるようになっていてよい。
【００３４】
この構成によれば、車両が二輪駆動状態にあるときには、非駆動輪の車輪速度は車体速度に対応しているので、非駆動輪の車輪速度及び駆動輪の車輪速度に基づいて駆動輪がスリップ状態にあるか否かを判定することができる。
【００３５】
また上記構成に於いて、車両の走行制御は車両の加減速に伴うばね上の共振振動を抑制するばね上制振制御であってよい。
【００３６】
この構成によれば、前後加速度センサが異常であり、車輪速度及び車両の前後加速度に基づいて駆動輪がスリップ状態にあるか否かを正確に判定することができないときには、ばね上制振制御を中止させることができる。よって前後加速度センサが異常であると判定されている状況に於いて、ばね上制振制御が不適切に実行されることを防止することができる。
【００３７】
また上記構成に於いて、車輪速度に基づく車速が０であり且つ検出された車両の前後加速度の増加変化率が増加変化率基準値以下である状態が、演算開始基準時間以上経過したときに、積算値の演算が開始されるようになっていてよい。
【００３８】
また上記構成に於いて、前後加速度センサの異常判定は車輪速度に基づく車速が判定開始車速基準値以上であるときに行われるようになっていてよい。
【００３９】
また上記構成に於いて、前後加速度センサの異常判定は積算値が増大し始めた時点よりの経過時間が判定開始基準時間以上であるときに行われるようになっていてよい。
【００４０】
また上記構成に於いて、積算値が増大し始めた時点より車輪速度が検出可能な車輪速度の最小値以上になるまでに要する時間を最低待機時間として、判定開始基準時間は最低待機時間以上の値に設定されてよい。
【図面の簡単な説明】
【００４１】
【図１】本発明による前後加速度センサの異常判定装置の第一の実施形態が適用された四輪駆動車の走行制御装置を示す概略構成図である。
【図２】車両の走行制御としてばね上制振制御を行うばね上制振コントローラを示すブロック図である。
【図３】第一の実施形態に於ける前後加速度センサの異常判定のルーチンを示すフローチャートである。
【図４】本発明による前後加速度センサの異常判定装置の第二の実施形態に於ける前後加速度センサの異常判定のルーチンを示すフローチャートである。
【図５】第一の実施形態の修正例として構成された本発明による前後加速度センサの異常判定装置の第三の実施形態に於ける前後加速度センサの異常判定のルーチンを示すフローチャートである。
【図６】第二の実施形態の修正例として構成された本発明による前後加速度センサの異常判定装置の第四の実施形態に於ける前後加速度センサの異常判定のルーチンを示すフローチャートである。
【図７】車両が四輪駆動状態にて走行を開始する際に於ける車輪速度Ｖiに基づく車速Ｖw、実際の車速Ｖa、車両の前後加速度Ｇx、前後加速度Ｇxの積算値Ｖxの変化の一例を示すグラフである。
【図８】車両が四輪駆動状態にて走行を開始する際に於ける車輪速度Ｖiに基づく車速Ｖw、実際の車速Ｖa、車両の前後加速度Ｇx、前後加速度Ｇxの積算値Ｖxの変化の他の例を示すグラフである。
【発明を実施するための形態】
【００４２】
以下に添付の図を参照しつつ、本発明を好ましい幾つかの実施形態について詳細に説明する。
第一の実施形態
【００４３】
図１は本発明による前後加速度センサの異常判定装置の第一の実施形態が適用された四輪駆動車の走行制御装置を示す概略構成図である。
【００４４】
図１に於いて、１００は車両１０２に搭載された走行制御装置を全体的に示している。また１０はエンジンを示しており、エンジン１０の駆動力はトルクコンバータ１２及びトランスミッション１４を介して出力軸１６へ伝達される。出力軸１６の駆動力は駆動状態を切替えるトランスファー１８により前輪用駆動軸２０若しくは後輪用駆動軸２２へ伝達される。エンジン１０の出力は運転者により操作されるアクセルペダル２３の踏み込み量等に応じてエンジン制御装置２４により制御される。
【００４５】
またトランスファー１８は駆動状態を四輪駆動（４ＷＤ）状態と二輪駆動（２ＷＤ）状態とに切替えるアクチュエータを含んでいる。このアクチュエータは運転者により操作される選択スイッチ（ＳＷ）２６に応答して４ＷＤ制御装置２８により制御される。選択スイッチ２６はＨ４位置、Ｈ２位置、Ｎ位置、Ｌ４位置に切替えられるようになっている。
【００４６】
選択スイッチ２６がＨ４位置にあるときには、トランスファー１８は出力軸１６の駆動力を前輪用駆動軸２０及び後輪用駆動軸２２へ伝達する４ＷＤ位置に設定される。これに対し選択スイッチ２６がＨ２位置にあるときには、トランスファー１８は出力軸１６の駆動力を後輪用駆動軸２２のみへ伝達する２ＷＤ位置に設定される。選択スイッチ２６がＮ位置にあるときには、トランスファー１８は出力軸１６の駆動力を前輪用駆動軸２０及び後輪用駆動軸２２の何れにも伝達しない位置に設定される。更に選択スイッチ２６がＬ４位置にあるときには、トランスファー１８はＨ４位置の場合よりも低車速高トルク用の駆動力として出力軸１６の駆動力を前輪用駆動軸２０及び後輪用駆動軸２２へ伝達する４ＷＤ位置に設定される。
【００４７】
図１に示されている如く、４ＷＤ制御装置２８は選択スイッチ２６より入力される指令信号に基づきトランスファー１８に対する４ＷＤ制御装置２８の指令位置が２ＷＤ位置及び４ＷＤ位置の何れであるかを示す信号をエンジン制御装置２４へ出力する。エンジン制御装置２４は４ＷＤ制御装置２８の指令位置に応じてエンジン１０の出力を制御する。
【００４８】
前輪用駆動軸２０の駆動力は前輪ディファレンシャル３０により左前輪車軸３２L及び右前輪車軸３２Rへ伝達され、これにより左右の前輪３４FL及び３４FRが回転駆動される。同様に後輪用駆動軸２２の駆動力は後輪ディファレンシャル３６により左後輪車軸３８L及び右後輪車軸３８Rへ伝達され、これにより左右の後輪４０RL及び４０RRが回転駆動される。
【００４９】
左右の前輪３４FL、３４FR及び左右の後輪４０RL、４０RRの制動力は制動装置４２の油圧回路４４により対応するホイールシリンダ４６FL、４６FR、４６RL、４６RRの制動圧が制御されることによって制御される。図には示されていないが、油圧回路４４はリザーバ、オイルポンプ、種々の弁装置等を含んでいる。各ホイールシリンダの制動圧は通常時には運転者によるブレーキペダル４７の踏み込み操作に応じて駆動されるマスタシリンダ４８により制御され、また必要に応じて後に詳細に説明する如く走行制御用電子制御装置５０により制御される。
【００５０】
電子制御装置５０には車輪速度センサ５２FL、５２FR、５２RL、５２RRより左右前輪及び左右後輪の車輪速度Ｖi（i＝fl、fr、rl、rr）を示す信号が入力される。また電子制御装置５０には前後加速度センサ５４より車両の前後加速度Ｇxを示す信号が入力され、選択スイッチ２６よりトランスファー１８が何れの位置にあるかを示す信号が入力される。尚前後加速度センサ５４は車両の加速方向を正として車両の前後加速度Ｇxを検出する。更に電子制御装置５０には圧力センサ５６よりマスタシリンダ４８内の圧力であるマスタシリンダ圧力Ｐmを示す信号が入力される。
【００５１】
またエンジン制御装置２４にはアクセルペダル２３に設けられたアクセル開度センサ５８よりアクセル開度Ａccを示す信号が入力される。尚エンジン制御装置２４、４ＷＤ制御装置２８、電子制御装置５０は実際には例えばＣＰＵ、ＲＯＭ、ＲＡＭ、入出力装置を含む一つのマイクロコンピュータ及び駆動回路にて構成されていてよい。
【００５２】
後に詳細に説明する如く、電子制御装置５０は車速Ｖが制御実行基準値Ｖdcs（正の定数）以上であるときに、車両の走行制御として車両の加減速に伴うばね上の共振振動を抑制するばね上制振制御を行う。ばね上制振制御は電子制御装置５０によって図２に示されたばね上制振コントローラ５６の制御が達成されることにより行われる。
【００５３】
図２に示されている如く、ばね上制振コントローラ５６は補正量演算ブロック５８と四輪駆動時スリップ判定ブロック６０と二輪駆動時スリップ判定ブロック６２と異常判定ブロック６４と制御停止判定ブロック６６とを有している。ばね上制振コントローラ５６は車両の加減速に伴うばね上の共振振動を抑制するためのエンジン１０の目標トルク補正量ΔＴeを演算し、目標トルク補正量ΔＴeを示す信号をエンジン制御装置２４へ出力する。
【００５４】
補正量演算ブロック５８は車輪速度Ｖiに基づいて車速Ｖを演算する。そして補正量演算ブロック５８は車速Ｖが制御実行基準値Ｖdcs以上であるときには、アクセル開度Ａccや車輪速度Ｖiに基づいて目標トルク補正量ΔＴeを演算し、目標トルク補正量ΔＴeを示す信号を制御停止判定ブロック６６へ出力する。
【００５５】
尚目標トルク補正量ΔＴeの演算は本発明の要旨をなすものではなく、例えば本願出願人の出願にかかる特開２０１０−１０６８１７号公報に記載されている如き要領にて行われてよい。即ちアクセル開度Ａccに基づいてフィードフォワード補正量ΔＴeffが演算され、車輪速度Ｖiに基づいてフィードバック補正量ΔＴefbが演算され、補正量ΔＴeff及びΔＴefbに基づいて目標トルク補正量ΔＴeが演算されてよい。
【００５６】
エンジン制御装置２４はアクセル開度Ａcc等に基づいてエンジン１０の目標トルクＴetを演算する。そしてエンジン制御装置２４は目標トルク補正量ΔＴeを示す信号を受信していないときには、目標トルクＴetに基づいてエンジン１０の出力トルクを制御する。またエンジン制御装置２４は目標トルク補正量ΔＴeを示す信号を受信しているときには、エンジン１０の目標トルクＴetを目標トルク補正量ΔＴeにて補正した補正後の目標トルクＴetaに基づいてエンジン１０の出力トルクを制御する。
【００５７】
車両が非制動の四輪駆動状態にあるときには、車両が四輪駆動状態にあることを示す信号が４ＷＤ制御装置２８より四輪駆動時スリップ判定ブロック６０へ入力される。スリップ判定ブロック６０は四輪の車輪速度Ｖi及び車両の前後加速度Ｇxに基づいて推定車体速度Ｖbを演算する。そしてスリップ判定ブロック６０は車輪速度Ｖi及び推定車体速度Ｖbに基づいて何れかの駆動輪に駆動スリップが生じているか否かを判定し、その判定結果を示す信号を制御停止判定ブロック６６へ出力する。
【００５８】
尚非制動の四輪駆動時の駆動スリップの判定は本発明の要旨をなすものではなく、例えば本願出願人の出願にかかる特開２０１１−３７３３８号公報に記載されている如き要領にて行われてよい。即ち四輪の車輪速度Ｖiのうち最も低いＶminに基づいて第一の推定車体速度Ｖb1が求められる。また直前の推定車体速度をＶbfとし、推定時間間隔をΔｔとして、Ｖbf＋Ｇx＊Δｔにより第二の推定車体速度Ｖb2が求められる。そして第一の推定車体速度Ｖb1及び第二の推定車体速度Ｖb2に基づいて推定車体速度Ｖbが求められる。
【００５９】
また車両が非制動状態にあるか否かの判定は例えばマスタシリンダ圧力Ｐmに基づいて制動力が車輪に付与されているか否かの判定により行われてよい。また駆動状態が四輪駆動状態であっても、車両が制動状態にあるときには、スリップ判定ブロック６０は駆動スリップが生じているか否かの判定を行わない。
【００６０】
これに対し車両が非制動の二輪駆動状態にあるときには、車両が二輪駆動状態にあることを示す信号が４ＷＤ制御装置２８より二輪駆動時スリップ判定ブロック６２へ入力される。スリップ判定ブロック６２は従動輪の車輪速度Ｖiに基づいて推定車体速度Ｖbを演算し、駆動輪の車輪速度Ｖi及び推定車体速度Ｖbに基づいて各駆動輪の駆動スリップ量又は駆動スリップ率を演算する。そしてスリップ判定ブロック６２は駆動スリップ量又は駆動スリップ率が基準値以上であるか否かの判定により、何れかの駆動輪に駆動スリップが生じているか否かを判定し、その判定結果を示す信号を制御停止判定ブロック６６へ出力する。
【００６１】
前後加速度センサの異常判定ブロック６４は、後に詳細に説明する如く図３に示された前後加速度センサの異常判定ルーチンに従って、車輪速度Ｖi及び車両の前後加速度Ｇxに基づいて前後加速度センサ５４が異常であるか否かを判定する。
【００６２】
下記の（ａ１）〜（ａ３）の何れも行われていないときには、制御停止判定ブロック６６は目標トルク補正量ΔＴeを示す信号がエンジン制御装置２４へ出力されることを許可する。これに対し下記の（ａ１）〜（ａ３）の何れかが行われているときには、制御停止判定ブロック６６は目標トルク補正量ΔＴeを示す信号がエンジン制御装置２４へ出力されることを阻止することにより、ばね上制振制御を停止する。
（ａ１）四輪駆動状態に於いてスリップ判定ブロック６０により何れかの車輪に駆動スリップが発生していると判定されている。
（ａ２）二輪駆動状態に於いてスリップ判定ブロック６２により何れかの駆動輪に駆動スリップが発生していると判定されている。
（ａ３）四輪駆動状態に於いて異常判定ブロック６４により前後加速度センサ５４が異常であると判定されている。
【００６３】
次に図３に示されたフローチャートを参照して第一の実施形態に於ける前後加速度センサの異常判定のルーチンについて説明する。尚図３に示されたフローチャートによる制御は図には示されていないイグニッションスイッチの閉成により開始され、所定の時間毎に繰返し実行される。このことは後述の他の実施形態についても同様である。
【００６４】
まずステップ１０に於いてはフラグＦが１であるか否かの判別、即ち車両の前後加速度Ｇxの積算値Ｖxの演算開始条件が成立していると既に判定されたか否かの判別が行われる。そして肯定判別が行われたときには制御はステップ４０へ進み、否定判別が行われたときには制御はステップ２０へ進む。
【００６５】
ステップ２０に於いては車両の前後加速度Ｇxの積算値Ｖxの演算開始条件が成立しているか否かの判別が行われる。そして否定判別が行われたときには制御はステップ１０へ戻り、肯定判別が行われたときにはステップ３０に於いてフラグＦが１にセットされた後制御はステップ６０へ進む。
【００６６】
この場合下記の（ｂ１）及び（ｂ２）が成立しているときに積算値Ｖxの演算開始条件が成立していると判定されてよい。尚下記の（ｂ２）に於いて「全ての車輪速度Ｖiが０であること」は条件項目より除外されてもよい。
（ｂ１）車両が制動状態にない。
（ｂ２）全ての車輪速度Ｖiが０であり且つ前後加速度Ｇxの増加変化率Ｒgxが増加変化率基準値Ｒgx0（正の定数）以下である状況が演算開始基準時間Ｔgcs（正の定数）以上経過している。
【００６７】
ステップ４０に於いては車両が加速状態にあるときには四輪の車輪速度Ｖiのうちの最小値Ｖminが車速Ｖに設定され、車両がエンジンブレーキによる減速状態にあるときには四輪の車輪速度Ｖiのうちの最大値Ｖmaxが車速Ｖに設定される。
【００６８】
ステップ５０に於いては車両の前後加速度Ｇxの積算値Ｖxの演算及び前後加速度センサ５４の異常判定の終了条件が成立しているか否かの判別が行われる。そして肯定判別が行われたときには制御はステップ７０へ進み、否定判別が行われたときにはステップ６０へ進む。
【００６９】
この場合下記の（ｃ１）及び（ｃ２）の何れかが成立しているときに終了条件が成立していると判定されてよい。
（ｃ１）車両が制動状態にある。
（ｃ２）車速Ｖが終了基準値Ｖe（ばね上制振制御の実行基準値Ｖdcsよりも低い正の定数）以上である。
【００７０】
ステップ６０に於いては４ＷＤ制御装置２８より入力される駆動状態を示す信号に基づき車両が四輪駆動状態にあるか否かの判別が行われる。そして肯定判別が行われたときには制御はステップ８０へ進む。これに対し否定判別が行われたときにはステップ７０に於いてフラグＦが０にリセットされると共に、前後加速度Ｇxの積算値Ｖxの演算及び前後加速度センサ５４の異常判定が終了される。
【００７１】
ステップ８０に於いては車両の前後加速度Ｇxに対しバンドパスフィルタ処理が行われると共に、バンドパスフィルタ処理後の車両の前後加速度Ｇxの積算値Ｖxが前後加速度Ｇxに基づく車速として演算される。この場合バンドパスフィルタ処理の通過帯域は、温度ドリフトや路面勾配に起因する低周波成分及びノイズに起因する高周波成分を除去するが、車両の加減速に伴う周波数帯域の前後加速度を通過させる帯域に設定される。
【００７２】
ステップ９０に於いては四輪の車輪速度Ｖiのうち最大値Ｖmax及び最小値Ｖminを除く高い方の車輪速度Ｖmedh及び低い方の車輪速度Ｖmedlの平均値が車輪速度Ｖiに基づく車速Ｖwとして演算される。
【００７３】
ステップ１００に於いては車速Ｖwが前後加速度センサの異常判定の開始基準値Ｖws（正の定数）以上であるか否かの判別が行われる。そして肯定判別が行われたときには制御はステップ１５０へ進み、否定判別が行われたときには図３に示されたフローチャートによる制御が一旦終了される。尚異常判定の開始基準値Ｖwsは車輪速度センサ５２FL〜５２RRによる車輪速度の検出が可能な車輪速度に対応する車速Ｖw0以上の値、好ましくは車速Ｖw0よりも高い値である。
【００７４】
ステップ１５０に於いては前後加速度Ｇxの積算値Ｖxと車輪速度Ｖiに基づく車速Ｖwとの偏差の絶対値が異常判定基準値ΔＶs（正の定数）以上であるか否かの判別が行われる。そして否定判別が行われたときにはステップ１６０に於いて前後加速度センサ５４が正常であると判定され、肯定判別が行われたときにはステップ１７０に於いて前後加速度センサ５４が異常であると判定される。
【００７５】
以上の説明より解る如く、車両の前後加速度Ｇxの積算値Ｖxの演算開始条件（ｂ１）及び（ｂ２）が成立すると、ステップ２０に於いて肯定判別が行われる。そして終了条件（ｃ１）又は（ｃ２）が成立しステップ５０に於いて肯定判別が行われるまで、駆動状態が四輪駆動状態である限りステップ８０以降のステップが実行される。
【００７６】
車速Ｖwが前後加速度センサの異常判定の開始基準値Ｖws以上になると、ステップ１００に於いて肯定判別が行われ、ステップ１５０〜１７０により前後加速度センサ５４が異常であるか否かが判定される。即ち前後加速度Ｇxの積算値Ｖxと車輪速度Ｖiに基づく車速Ｖwとの偏差の絶対値が異常判定基準値ΔＶs以上であるか否かの判別により前後加速度センサ５４が異常であるか否かが判定される。
【００７７】
図７は車両が四輪駆動状態にて走行を開始する際に於ける車輪速度Ｖiに基づく車速Ｖw（実線）、実際の車速Ｖa（一点鎖線）、車両の前後加速度Ｇx（破線）、前後加速度Ｇxの積算値Ｖx（二点鎖線）の変化の一例を示すグラフである。
【００７８】
図７に示されている如く、時点ｔ0に於いてイグニッションスイッチが閉成され、図３に示されたフローチャートによる制御が開始されたとする。また時点ｔ1に於いて全ての車輪速度Ｖiが０であり且つ前後加速度Ｇxの増加変化率Ｒgxが増加変化率基準値Ｒgx0以下である状況が演算開始基準時間Ｔgcs以上経過し、ステップ２０及び６０に於いて肯定判別が行われたとする。
【００７９】
この場合時点ｔ1に於いてステップ８０に於ける車両の前後加速度Ｇxの積算値Ｖxの演算及びステップ９０に於ける車輪速度Ｖiに基づく車速Ｖwの演算が開始される。時点ｔ2に於いて車両が動き始めたとすると、実際の車速Ｖa及び車両の前後加速度Ｇxは時点ｔ2に於いて上昇し始め、前後加速度Ｇxの積算値Ｖxは時点ｔ2よりも僅かに遅れた時点に於いて上昇し始める。
【００８０】
しかし車輪速度センサ５２FL〜５２RRは実際の車輪速度が非常に低い値であるときには車輪速度を検出することができないため、実際の車輪速度が非常に低い値であるときには車輪速度Ｖiに基づく車速Ｖwは０になる。時点ｔ3に於いて実際の車輪速度が車輪速度センサ５２FL〜５２RRによる車輪速度の検出が可能な値になったとすると、時点ｔ3に於いて車輪速度Ｖiに基づく車速Ｖwは０より瞬間的にＶw0に増大する。車輪速度Ｖiに基づく車速Ｖwはその後も上昇し、時点ｔ4に於いて前後加速度センサの異常判定の開始基準値Ｖws以上になり、時点ｔ5に於いて終了基準値Ｖe以上になったとする。
【００８１】
時点ｔ4以前は車両の前後加速度Ｇxの積算値Ｖx及び車輪速度Ｖiに基づく車速Ｖwは演算されるが、前後加速度センサの異常判定は行われない。前後加速度センサの異常判定は時点ｔ4に於いて開始され、時点ｔ5に於いて終了される。尚時点ｔ6に於いて車速Ｖwが制御実行基準値Ｖdcs以上になるとすると、この時点に於いてばね上制振制御が開始される。
【００８２】
かくして第一の実施形態によれば、全ての車輪速度Ｖiが０であり且つ前後加速度Ｇxの増加変化率Ｒgxが増加変化率基準値Ｒgx0以下である状況が演算開始基準時間Ｔgcs以上経過したときに、前後加速度Ｇxの積算値Ｖxの演算が開始される。従って前後加速度センサ５４の作動が開始された直後の検出が安定していない状況に於いて検出された値の影響を排除することができる。
【００８３】
また車輪速度センサ５２FL〜５２RRによる車輪速度の検出が可能になる時点ｔ3に於いて前後加速度Ｇxの積算値Ｖxの演算が開始されると、車両の前後加速度Ｇxが上昇し始める時点ｔ2より時点ｔ3までの前後加速度Ｇxが積算されない。よって前後加速度Ｇxの積算値Ｖxが適正に演算されないことに起因して、ステップ１５０による前後加速度センサ５４の異常判定が不適切に行われる場合がある。
【００８４】
第一の実施形態によれば、全ての車輪速度Ｖiが０である時点ｔ1に於いて前後加速度Ｇxの積算値Ｖxの演算が開始されるので、前後加速度Ｇxが上昇し始める時点ｔ2より時点ｔ3までの前後加速度Ｇxが確実に積算される。よって前後加速度Ｇxの積算値Ｖxが適正に演算されないことに起因して、ステップ１５０による前後加速度センサ５４の異常判定が不適切に行われることを防止することができる。尚この作用効果は後述の他の実施形態に於いても同様に得られる。
【００８５】
また第一の実施形態によれば、車速Ｖwが前後加速度センサの異常判定の開始基準値Ｖws（Ｖw0以上の値である）以上であるときにステップ１５０〜１７０により前後加速度センサ５４が異常であるか否かの判定が行われる。よって実際の車輪速度が非常に低く、車輪速度センサ５２FL〜５２RRによる車輪速度の検出が不可能な状況に於いて、前後加速度センサ５４が異常であるか否かの判定が行われることを防止することができる。換言すれば、車輪速度センサ５２FL〜５２RRが車輪速度を検出することができないことに起因して前後加速度センサ５４が正常であるにも拘らず異常であると判定されることを防止することができる。
【００８６】
また第一の実施形態によれば、車速Ｖwが異常判定の開始基準値Ｖws未満であるときには前後加速度センサの異常判定自体が行われない。従って後述の第三の実施形態の場合に比して、ステップ１５０の実行回数、即ち前後加速度センサの異常判定ステップの実行回数を少なくすることができる。
【００８７】
尚ステップ１００の判別、即ち車速Ｖwが異常判定の開始基準値Ｖws以上であるか否かの判別がステップ８０に先立って行われ、肯定判別が行われたときに制御がステップ８０へ進むよう修正されてもよい。
【００８８】
またステップ１００の判別がステップ１５０に先立って行われるのではなく、ステップ１７０に先立って行われるよう修正されてもよい。その場合にはステップ１００の判別が肯定判別であるときには制御はステップ１７０へ進み、判別が否定判別であるときには制御はステップ１６０へ進む。
第二の実施形態
【００８９】
図４は本発明による前後加速度センサの異常判定装置の第二の実施形態に於ける前後加速度センサの異常判定のルーチンを示すフローチャートである。尚図４に於いて、図３に示されたステップと同一のステップには図３に於いて付されたステップ番号と同一のステップ番号が付されている。このことは後述の図５及び図６についても同様である。
【００９０】
この第二の実施形態に於いては、ステップ１００は実行されず、ステップ９０が完了すると、制御はステップ１１０へ進む。
【００９１】
ステップ１１０に於いては前後加速度Ｇxの積算値Ｖxが増大し始めた時点よりの経過時間Ｔcが判定開始基準値Ｔcs（正の値）以上であるか否かの判別が行われる。そして肯定判別が行われたときにはステップ１５０へ進み、否定判別が行われたときには図４に示されたフローチャートによる制御が一旦終了される。そしてステップ１５０〜１７０が第一の実施形態の場合と同様に実行される。
【００９２】
尚図７と図８との比較より解る如く、車速の上昇率が高いときには車速の上昇率が低いときに比して、前後加速度Ｇxの積算値Ｖxが増大し始めてから車輪速度センサによる車輪速度の検出が可能になるまでの時間が短くなる。即ち時点ｔ2と時点ｔ3との間隔は前後加速度Ｇxの大きさが大きいほど小さくなる。
【００９３】
よって判定開始基準値Ｔcsは前後加速度Ｇxの大きさが大きいほど、換言すれば前後加速度Ｇxの積算値Ｖxの増大変化率が大きいほど小さくなるよう、前後加速度Ｇxの大きさ又は積算値Ｖxの増大変化率に応じて可変設定される。また図８に示されている如く、前後加速度Ｇxの積算値Ｖxが増大し始めた時点よりの経過時間Ｔcが判定開始基準値Ｔcsになる時点を時点ｔ4′として、判定開始基準値Ｔcsは時点ｔ4′が時点ｔ3よりも後になるよう設定される。
【００９４】
従ってこの第二の実施形態によれば、前後加速度Ｇxの積算値Ｖxが増大し始めた時点よりの経過時間Ｔcが判定開始基準値Ｔcs以上である状況に於いて前後加速度センサ５４が異常であるか否かの判定が行われる。よって第一の実施形態と同様に、実際の車輪速度が非常に低く、車輪速度センサが車輪速度を検出することができないことに起因して前後加速度センサ５４が正常であるにも拘らず異常であると判定されることを防止することができる。
【００９５】
また第二の実施形態によれば、前後加速度Ｇxの積算値Ｖxが増大し始めた時点よりの経過時間Ｔcが判定開始基準値Ｔcs未満であるときには前後加速度センサの異常判定自体が行われない。従って後述の第四の実施形態の場合に比して、ステップ１５０の実行回数、即ち前後加速度センサの異常判定ステップの実行回数を少なくすることができる。
【００９６】
尚ステップ１１０の判別、即ち経過時間Ｔcが判定開始基準値Ｔcs以上であるか否かの判別がステップ８０に先立って行われ、肯定判別が行われたときに制御がステップ８０へ進むよう修正されてもよい。
【００９７】
またステップ１１０の判別がステップ１５０に先立って行われるのではなく、ステップ１７０に先立って行われるよう修正されてもよい。その場合にはステップ１１０の判別が肯定判別であるときには制御はステップ１７０へ進み、判別が否定判別であるときには制御はステップ１６０へ進む。
第三の実施形態
【００９８】
図５は第一の実施形態の修正例として構成された本発明による前後加速度センサの異常判定装置の第三の実施形態に於ける前後加速度センサの異常判定のルーチンを示すフローチャートである。
【００９９】
この第三の実施形態に於いては、ステップ１００に於いて肯定判別が行われたときにはステップ１２０に於いてステップ１５０に於ける異常判定基準値ΔＶsが標準値ΔＶsn（正の定数）に設定される。これに対しステップ１００に於いて否定判別が行われたときにはステップ１３０に於いて異常判定基準値ΔＶsが標準値ΔＶsnよりも大きく前後加速度センサ５４が異常であると判定されることを阻止する値ΔＶsi（正の定数）に設定される。そしてステップ１５０〜１７０が第一の実施形態の場合と同様に実行される。
【０１００】
従って第三の実施形態によれば、車速Ｖwが異常判定の開始基準値Ｖws未満であっても前後加速度センサ５４が異常であるか否かの判定自体は行われるが、前後加速度センサが異常であると判定されることが阻止される。よって第一及び第二の実施形態と同様に実際の車輪速度が非常に低く、車輪速度センサが車輪速度を検出することができないことに起因して前後加速度センサ５４が正常であるにも拘らず異常であると判定されることを防止することができる。
【０１０１】
尚ステップ１００、１２０、１３０はステップ１５０に先立って実行されればよいので、ステップ１００、１２０、１３０がステップ８０又は９０に先立って行われるよう修正されてもよい。
第四の実施形態
【０１０２】
図６は第二の実施形態の修正例として構成された本発明による前後加速度センサの異常判定装置の第四の実施形態に於ける前後加速度センサの異常判定のルーチンを示すフローチャートである。
【０１０３】
この第四の実施形態に於いては、ステップ９０が完了すると、制御はステップ１１０へ進む。ステップ１１０に於いて肯定判別が行われたときには制御はステップ１２０へ進み、否定判別が行われたときには制御はステップ１３０へ進む。そしてステップ１５０〜１７０が第一の実施形態の場合と同様に実行される。
【０１０４】
従って第四の実施形態によれば、経過時間Ｔcが判定開始基準値Ｔcs未満であっても前後加速度センサ５４が異常であるか否かの判定自体は行われるが、前後加速度センサが異常であると判定されることが阻止される。よって第一乃至第三の実施形態と同様に実際の車輪速度が非常に低く、車輪速度センサが車輪速度を検出することができないことに起因して前後加速度センサ５４が正常であるにも拘らず異常であると判定されることを防止することができる。
【０１０５】
尚ステップ１１０〜１３０はステップ１５０に先立って実行されればよいので、ステップ１１０〜１３０がステップ８０又は９０に先立って行われるよう修正されてもよい。
【０１０６】
また上述の各実施形態によれば、ステップ８０に於いて車両の前後加速度Ｇxに対しバンドパスフィルタ処理が行われ、バンドパスフィルタ処理後の車両の前後加速度Ｇxの積算値Ｖxが前後加速度Ｇxに基づく車速として演算される。従って前後加速度Ｇxに対しバンドパスフィルタ処理が行われない場合に比して、温度ドリフトや路面勾配に起因する低周波成分及びノイズに起因する高周波成分の影響を低減し、前後加速度Ｇxの積算値Ｖxを正確に演算することができる。
【０１０７】
また上述の各実施形態によれば、車速Ｖが終了基準値Ｖe以上であるときには前後加速度Ｇxの積算値Ｖxの演算及び前後加速度センサ５４の異常判定が終了される。そして終了基準値Ｖeはばね上制振制御の実行基準値Ｖdcsよりも低い値である。よってばね上制振制御が開始される前に前後加速度センサ５４が異常であるか否かを判定することができるので、前後加速度センサ５４が異常であるる状況にてばね上制振制御が開始されることを防止することができる。
【０１０８】
またばね上制振制御が開始される前に前後加速度Ｇxの積算値Ｖxの演算及び前後加速度センサ５４の異常判定を終了させることができる。従ってばね上制振制御が開始された後にも前後加速度センサ５４が異常であるか否かの判定が継続される場合に比して、電子制御装置５０等の負荷を軽減することができる。
【０１０９】
また上述の各実施形態によれば、異常判定ブロック６４により前後加速度センサ５４が異常であると判定されているときには、制御停止判定ブロック６６により目標トルク補正量ΔＴeを示す信号の出力が阻止される。よって後加速度センサ５４が異常であるときには、駆動輪が駆動スリップ状態にあるか否かに関係なく、ばね上制振制御が中止される。従って前後加速度センサ５４が異常であることにより駆動輪が駆動スリップ状態にあるか否かを正確に判定することができない状況に於いて、ばね上制振制御が実行されることを防止することができる。
【０１１０】
また上述の各実施形態によれば、車両が二輪駆動状態にあるときには、ステップ６０に於いて肯定判別が行われることによりステップ７０に於いて前後加速度Ｇxの積算値Ｖxの演算及び前後加速度センサ５４の異常判定が終了される。従って車両が二輪駆動状態にあり、駆動輪が駆動スリップ状態にあるか否かの判定に前後加速度Ｇxの情報を必要としない状況に於いて、前後加速度センサ５４の異常判定が不必要に実行されることを確実に防止することができる。
【０１１１】
また上述の各実施形態によれば、車両が二輪駆動状態にあるときには、スリップ判定ブロック６０ではなく、スリップ判定ブロック６２により何れかの駆動輪に駆動スリップが発生しているか否かが判定される。即ち従動輪の車輪速度Ｖiに基づいて演算される推定車体速度Ｖb及び駆動輪の車輪速度Ｖiに基づいて、何れかの駆動輪に駆動スリップが生じているか否かが判定される。そしてスリップ判定ブロック６２により駆動スリップが発生していると判定されているときには、制御停止判定ブロック６６により目標トルク補正量ΔＴeを示す信号の出力が阻止される。よって車両が二輪駆動状態にある状況に於いて、何れかの駆動輪に駆動スリップが発生していることに起因してばね上制振制御が不適切に実行されることを防止することができる。
【０１１２】
更に上述の各実施形態によれば、車両が四輪駆動状態にあるときの車輪速度Ｖiに基づく車速Ｖwは、四輪の車輪速度Ｖiのうち最大値Ｖmax及び最小値Ｖminを除く車輪速度Ｖmedh及びＶmedlの平均値として演算される。よって車速Ｖwが四輪の車輪速度Ｖiの平均値として演算される場合に比して、例えば路面の突起や段差等に起因して特異な値になった車輪速度の影響を低減して車速Ｖwを正確に演算することができる。
【０１１３】
以上に於いては本発明を特定の実施形態について詳細に説明したが、本発明は上述の実施形態に限定されるものではなく、本発明の範囲内にて他の種々の実施形態が可能であることは当業者にとって明らかであろう。
【０１１４】
例えば上述の各実施形態に於いては、車両の駆動モードは運転者により操作される選択スイッチ（ＳＷ）２６に応答して４ＷＤ制御装置２８により制御される。しかし本発明の前後加速度センサの異常判定装置や走行制御装置が適用される車両は、例えば駆動モードが自動的に切替えられる車両であってもよく、また駆動モードが運転者により操作される切替えレバーにより切替えられる車両であってもよい。
【０１１５】
また上述の各実施形態に於いては、車両が四輪駆動状態にあるときの車輪速度Ｖiに基づく車速Ｖwは、四輪の車輪速度Ｖiのうち最大値Ｖmax及び最小値Ｖminを除く車輪速度Ｖmedh及びＶmedlの平均値として演算される。しかし車輪速度Ｖiに基づく車速Ｖwは四輪の車輪速度Ｖiの平均値又は四輪の車輪速度Ｖiのうち最大値Ｖmaxを除く三つの車輪速度Ｖiの平均値として演算されてもよい。
【０１１６】
また上述の各実施形態に於いては、ステップ５０に於ける終了条件の成立判定の終了基準値Ｖeはばね上制振制御の実行基準値Ｖdcsよりも低い正の定数である。しかし終了基準値Ｖeがばね上制振制御の実行基準値Ｖdcs以上の値に設定され、ばね上制振制御が開始さた後にも前後加速度センサの異常判定が継続されるよう修正されてもよい。
【０１１７】
また上述の各実施形態に於いては、車両の走行制御はばね上制振制御であるが、ばね上制振制御以外の走行制御であってもよい。即ち本発明の異常判定装置は、検出値がばね上制振制御以外の走行制御に使用される前後加速度センサの異常判定に適用されてもよい。
【図１】
2012140763.tif 000003
【図２】
2012140763.tif 000004
【図３】
2012140763.tif 000005
【図４】
2012140763.tif 000006
【図５】
2012140763.tif 000007
【図６】
2012140763.tif 000008
【図７】
2012140763.tif 000009
【図８】
2012140763.tif 000010
【国際調査報告】
2012140763.tif 000011
2012140763.tif 000012
2012140763.tif 000013